(57)【要約】【課題】掛け寝具に対する肩当て部を敷設するに、頚部に対する馴染み（密着性）が良好となるようにし、又、寝具本体への着脱が可能とされること。【解決手段】寝具本体１に肩当て部２を備えた掛け寝具。前記肩当て部２が、ドレープ性に優れた生地で構成され、且つ、その寝具本体１の幅方向略中間位置において、外端辺に直交する方向で、外端縁から内側方向に向かってスリット３が形成されている。【選択図】図１
0003140046.tif 000002
【実用新案登録請求の範囲】
【請求項１】
寝具本体１に肩当て部２を備えた掛け寝具であって、
前記肩当て部２が、ドレープ性に優れた生地で構成され、且つ、その寝具本体１の幅方向略中間位置において、外端辺に直交する方向で、外端縁から内側方向に向かってスリット３が形成されていることを特徴とする掛け寝具。
【請求項２】
前記肩当て部２が、寝具本体１の一端辺に対して、複数のボタン止め４・４によって着脱自在に装着されるように、該肩当て部２にボタン孔４Ａ、４Ａが設けられていることを特徴とする請求項１の掛け寝具。
【請求項３】
前記スリット３の両側部分が外側に略三角形状に折り曲げ可能とされ、その三角形状部分３Ａ、３Ａの所定位置にボタン孔３Ｂ及び／又はボタン６が設けられ、折り曲げ状態と非折り曲げ状態とにボタン留めを行い得るように構成されていることを特徴とする請求項１又は請求項２の掛け寝具。
【考案の詳細な説明】
【技術分野】
【０００１】  本考案は、就寝時等に使用する肩当て付き寝具に関する。
【背景技術】
【０００２】  寝具として、例えば、掛け布団、毛布等があるが、一般に何れも矩形に構成されているものである。
例えば、毛布であれば、シングルサイズとしては、１４０ｃｍＸ２００Ｃｍ、布団であれば、１５０ＣｍＸ２１０ｃｍというような矩形になっている。【０００３】  このような矩形の布団乃至毛布を就寝時の仰臥した人体に使用するとき、その毛布を頭部に被せるわけには行かないから、頚部位置にその一端部の直線状の縁部が被さるようにして使用するのが普通である。【０００４】  しかし、布団や毛布の直線状の縁部が頚部に位置した場合、その側方の肩部が完全に覆われない状態となる。特に、ドレープ性に欠ける布団であればなおさらである。その結果、肩部が冷えて寝付きが悪くなるだけなく、風を引いたりする原因となっていた。【０００５】  こうした問題を解決するために、布団や毛布に肩当てを設けることが提案されている。このような肩当てとしては、次の技術が挙げられる。
【特許文献１】実用新案登公開平７−３３１６５。
【特許文献２】実用新案登録第３０７３０７１号。
【考案の開示】
【考案が解決しようとする課題】
【０００６】  上記の従来技術によれば、布団や毛布の本体とは別に肩当てを敷設したことで、肩部を覆うことができる利点があるが、この肩当てとして、敷設した肩当て部に頚部相当部の切り欠きを形成する方式は、予め切り欠きが存在することで、頚部をその切り欠きに挿入し易く、為に、肩部位置に対する肩当て部の被覆状態が良好となる点で優れている。【０００７】  しかし、頚部を位置させるために予め切り欠かれた構造では、余裕を持たせた切り口としているところから、頚部と切り欠き部の周縁との間に間隙が生じ易く、そこから空気が流動して首筋が寒く感じることがある。【０００８】  本考案は、かかる問題点に鑑み、掛け寝具に対する肩当て部を敷設するに、頚部に対する馴染み（密着性）が良好となるようにし、又、寝具本体への着脱が可能とされることを目的とする。
【課題を解決するための手段】
【０００９】  本考案にかかる掛け寝具は、上記課題を解決するために、請求項１に記載の通り、
寝具本体１に肩当て部２を備えた掛け寝具であって、
前記肩当て部２が、ドレープ性に優れた生地で構成され、且つ、その寝具本体１の幅方向略中間位置において、外端辺に直交する方向で、外端縁から内側方向に向かってスリット３が形成されていることを特徴とする。【００１０】  本考案において、上記寝具本体とは、布団、毛布、布団のカバー等を含むものである。また、上記のドレープ性とは、柔軟性を意味する。
また、ここでは、前記肩当て部２は、寝具本体１に対して、逢着されていても、ボタン等で着脱自在に留められていても良いものである。
また、本考案において使用のボタンは、均等物として紐、ファスナー等と置換可能なものである。
【考案の効果】
【００１１】  本考案によれば、ドレープ性に優れた生地の肩当て部にスリットを形成するので、頚部をスリットに入れた場合に、その所要幅だけスリットが広がることになり、頚部と肩当て部のスリットとの間に空隙が形成されるのを極力防止することができ、密着性が良くなって頚部からの通気を阻止し、肩冷えをより効果的に防止できる利点がある。
そして、スリットは、頚部が入れられたときに外側に捲れるようになるので、その折れ曲がり部が厚みをもって頚部に接することとなって、通気性の阻止をより効果的に果たすことができる。
本考案のその他利点は、以下の記載から明らかとなろう。
【考案を実施するための最良の形態】
【００１２】  本考案の実施に際しては、前記肩当て部２が、寝具本体１の一端辺に対して、複数のボタン止め４・４によって着脱自在に装着されるように、該肩当て部２にボタン孔４Ａ、４Ａが設けられているのが好ましい。【００１３】  このように構成することで、上記肩当て部２を寝具本体１から取り外し、肩当て部２を使用しない状態で用いたり、取り外した当て部２を洗濯したりすることができる。
また、既販の布団等に対して、ボタン止め４・４を逢着すれば肩当て部２を使用することができるので、肩当て部２とボタンとを別途販売とすることで、種々の寝具本体に対して実施が可能である。【００１４】  また、前記スリット３の両側部分が外側に略三角形状に折り曲げ可能とされ、その三角形状部分３Ａ、３Ａの所定位置にボタン孔３Ｂ及び／又はボタン６が設けられ、折り曲げ状態と非折り曲げ状態とにボタン留めを行い得るように構成されているのが好ましい。
【実施例】
【００１５】  本考案の実施の形態を、図面を参照して以下詳述する。
図１は、本考案にかかる掛け寝具の第１実施例における正面図であり、図２は、図１におけるＡ−Ａ線矢視断面図、図３は、肩当て部の拡大正面図である。【００１６】  図１に示すように、掛け寝具としての寝具本体１、ここでは掛け毛布１に肩当て部２を備えている。
その肩当て部２は、ドレープ性に優れた生地で構成され、その掛け毛布（寝具本体）１の幅方向略中間位置において、外端辺に直交する方向で、外端縁から内側方向に向かってスリット３が形成されている。
因みに、前記掛け毛布１は、長さが２００ｃｍ、幅が１４０ｃｍ、肩当て部２の長さは、３０ｃｍのものであり、其の幅は、前記掛け毛布１と実質的に同じ幅（ここでは１４５ｃｍ）である。【００１７】  前記肩当て部２は、図３に示すように、前記スリット３を含めその周辺がボア仕様２Ａとされて、他の部位はブロード２Ｂである。勿論、その前記肩当て部２の３辺は、ヘム地５により縁取りされている。
そして、前記肩当て部２が、掛け毛布（寝具本体）１の一端辺（頭部側）に対して、複数のボタン止め４・４、ここでは５個のボタン７（３６ｃｍ間隔）、によって着脱自在に装着されるように、該肩当て部２に５個のボタン孔４Ａ、４Ａが設けられている。
これらのボタン孔４Ａ、４Ａは、所定の間隔を隔てて、前記ヘム地５の部分に形成され、これに対応する掛け毛布（寝具本体）１の所定位置には、ボタン７が、夫々逢着されており、ここに着脱自在に止め付けられることになる。【００１８】（第２実施例）
図４及び図５に示すように、ここでは、上記スリット３の両側部分が外側に略三角形状に折り曲げ可能とされ、その三角形状部分３Ａ、３Ａの所定位置にボタン孔３Ｂ及び／又はボタン６が設けられ、折り曲げ状態と非折り曲げ状態とにボタン留めが行い得るように構成されている。
尚、ここでは、前記肩当て部２は、上記第１実施例とは異なり、掛け毛布（寝具本体）１とは別体で、これに対して逢着されている。しかし、前記肩当て部２を、掛け毛布（寝具本体）１の裏生地を延長して折り曲げ、その掛け毛布（寝具本体）１の表側に逢着するようにして構成してもよい。【００１９】  即ち、具体的には、スリット３の一側で、スリットから離れた位置に一つのボタン孔３Ｂと、スリット３に沿って所定間隔で設けた２個のボタン６を設け、スリット３の他側には、２個の前記ボタン６を留める二つのボタン孔３Ｂと、離れた位置に前記ボタン孔３Ｂに止められるボタン６が逢着されている。【００２０】  従って、図４では、三角形状部分３Ａ、３Ａの非折り曲げ状態で、スリット３が使用されない通常の肩当て部として用いられる上記スリット３が閉じられた状態を示す。この場合、前記スリット３に沿って所定間隔で設けた２個のボタン６は、スリット３の他側の２個の前記ボタン６を留める二つのボタン孔３Ｂに挿入されてボタン留めされている。【００２１】  また、図５では、前記三角形状部分３Ａ、３Ａが折り曲げ状態とされ、スリット３がＶ字状にされるが、ここでは、便宜上三角形状部分３Ａ、３Ａの一方を折り曲げた状態を示す。【００２２】  即ち、三角形状部分３Ａの一方が折り曲げられ、そのスリット３の側部のボタン孔３Ｂが離れた位置の前記ボタン６にボタン留めされている。図示していないが、他方は、そのスリット３の側部のボタン６が、離れた位置のタン孔３Ｂにボタン留めされ、結果としてＶ字のスリットが形成されることになる。
【産業上の利用可能性】
【００２３】  本考案の掛け寝具は、頚部に対する馴染み（密着性）が良好となるもので、種々のタイプの寝具本体へ適用でき、その応用範囲は広いものである。
【図面の簡単な説明】
【００２４】
【図１】本考案にかかる掛け寝具の全体の正面図である。
【図２】本考案にかかる掛け寝具の本体の図１におけるＡ−Ａ線矢視断面図である。
【図３】本考案にかかる掛け寝具の肩当て部の拡大した正面図である。
【図４】本考案にかかる掛け寝具の第２実施例の一使用例を示す全体の正面図である。
【図５】本考案にかかる掛け寝具の第２実施例の他の使用例を示す肩当て部の拡大した正面図である。
【符号の説明】
【００２５】  １：本体
２：肩当て部
３：スリット
３Ａ：三角形状部分
３Ｂ：ボタン孔
４：ボタン止め
６：ボタン（第２実施例）
７：ボタン（第１実施例）
【図１】
0003140046.tif 000003
【図２】
0003140046.tif 000004
【図３】
0003140046.tif 000005
【図４】
0003140046.tif 000006
【図５】
0003140046.tif 000007